【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
パラメータを操作するための操作子と、
前記操作子に対応して設けられた表示器と、
前記操作子に対して現在適用されているパラメータを記憶するカレントデータ記憶手段と、
前記カレントデータ記憶手段に記憶されたパラメータの値をシーンデータとして記憶するシーンデータ記憶手段と、
前記カレントデータ記憶手段に記憶されたパラメータに基づいて信号処理を行う信号処理手段と、
前記シーンデータを前記カレントデータ記憶手段に復元すべきことを指示するシーンリコール指示を検出する検出手段と、
前記シーンリコール指示が検出されたことを条件として、前記シーンデータとして記憶された前記操作子に対応するパラメータの値を目標値とし、前記カレントデータ記憶手段に記憶された前記操作子に係るパラメータの値が前記目標値に一致するまで該カレントデータ記憶手段に記憶されたパラメータの値を徐々に更新するシーンリコールを実行するリコール手段と、
前記シーンリコール指示が検出されたことを条件として、前記リコール手段によるシーンリコールが完了するまでの期間、前記操作子に係るパラメータの現在値であって前記リコール手段により前記目標値に向けて徐々に更新される現在値と前記目標値とを前記表示器に表示し、前記シーンリコールが完了するとともに前記目標値の表示を終了する表示制御手段と
を備えたことを特徴とするミキサ。
【請求項２】
前記リコール手段によるシーンリコールが完了するまでの期間において、前記目標値に対する変更指示を検出する変更指示検出手段と、
該変更指示に基づいた新たな目標値を前記表示器に表示する目標値表示変更手段と
をさらに有し、
前記リコール手段は前記変更指示に基づいた新たな目標値とした前記シーンリコールを継続して実行することを特徴とする請求項１記載のミキサ。
【請求項３】
前記シーンデータ記憶手段は，複数のシーンデータを記憶し、
前記検出手段にて検出されるシーンリコール指示は、前記複数のシーンデータのうち何れか一のシーンデータを前記カレントデータ記憶手段に復元すべきことを指示するものであり、
前記リコール手段は、前記複数のシーンデータのうち、前記指示された一のシーンデータに基づいて前記シーンリコールを実行するものであること
を特徴とする請求項１または２記載のミキサ。
【請求項４】
パラメータを操作するための操作子と、
前記操作子に対応して設けられた表示器と、
前記操作子に対して現在適用されているパラメータを記憶するカレントデータ記憶手段と、
前記カレントデータ記憶手段に記憶されたパラメータの値をシーンデータとして記憶するシーンデータ記憶手段と、
前記カレントデータ記憶手段に記憶されたパラメータに基づいて信号処理を行う信号処理手段と
を有するミキサにおいて実行されるプログラムであって、
前記シーンデータを前記カレントデータ記憶手段に復元すべきことを指示するシーンリコール指示を検出する検出過程と、
前記シーンリコール指示が検出されたことを条件として、前記シーンデータとして記憶された前記操作子に対応するパラメータの値を目標値とし、前記カレントデータ記憶手段に記憶された前記操作子に係るパラメータの値が前記目標値に一致するまで該カレントデータ記憶手段に記憶されたパラメータの値を徐々に更新するシーンリコールを実行するリコール過程と、
前記シーンリコール指示が検出されたことを条件として、前記リコール過程によるシーンリコールが完了するまでの期間、前記操作子に係るパラメータの現在値であって前記リコール過程により前記目標値に向けて徐々に更新される現在値と前記目標値とを前記表示器に表示し、前記シーンリコールが完了するとともに前記目標値の表示を終了する表示制御過程と
を備えたことを特徴とするプログラム。
【手続補正２】
【補正対象書類名】明細書
【補正対象項目名】０００６
【補正方法】変更
【補正の内容】
【０００６】
上記課題を解決するため本発明にあっては、下記構成を具備することを特徴とする。なお、括弧内は例示である。
請求項１記載のミキサにあっては、パラメータを操作するための操作子と、前記操作子に対応して設けられた表示器（３１〜３６）と、前記操作子に対して現在適用されているパラメータを記憶するカレントデータ記憶手段（Ｃ１〜Ｃ６）と、前記カレントデータ記憶手段に記憶されたパラメータの値（Ｃ１〜Ｃ６）をシーンデータとして記憶するシーンデータ記憶手段（１０１，１０２，１０３）と、前記カレントデータ記憶手段に記憶されたパラメータに基づいて信号処理を行う信号処理手段（信号処理回路１０）と、前記シーンデータを前記カレントデータ記憶手段（Ｃ１〜Ｃ６）に復元すべきことを指示するシーンリコール指示を検出する検出手段（ＳＰ２）と、前記シーンリコール指示が検出されたことを条件として、前記シーンデータとして記憶された前記操作子に対応するパラメータの値を目標値とし、前記カレントデータ記憶手段に記憶された前記操作子に係るパラメータの値が前記目標値に一致するまで該カレントデータ記憶手段に記憶されたパラメータの値を徐々に更新するシーンリコールを実行するリコール手段（ＳＰ１０，ＳＰ１２）と、前記シーンリコール指示が検出されたことを条件として、前記リコール手段によるシーンリコールが完了するまでの期間、前記操作子に係るパラメータの現在値であって前記リコール手段により前記目標値に向けて徐々に更新される現在値と前記目標値とを前記表示器に表示し、前記シーンリコールが完了するとともに前記目標値の表示を終了する表示制御手段（ＳＰ８）とを備えたことを特徴とする。
さらに、請求項２記載の構成にあっては、請求項１記載のミキサにおいて、前記リコール手段によるシーンリコールが完了するまでの期間において、前記目標値に対する変更指示を検出する変更指示検出手段（ＳＰ１４）と、該変更指示に基づいた新たな目標値を前記表示器に表示する目標値表示変更手段（ＳＰ１８）とをさらに有し、前記リコール手段は前記変更指示に基づいた新たな目標値とした前記シーンリコールを継続して実行することを特徴とする。
さらに、請求項３記載の構成にあっては、請求項１または２記載のミキサにおいて、前記シーンデータ記憶手段は，複数のシーンデータを記憶し、前記検出手段にて検出されるシーンリコール指示は、前記複数のシーンデータのうち何れか一のシーンデータを前記カレントデータ記憶手段に復元すべきことを指示するものであり、前記リコール手段は、前記複数のシーンデータのうち、前記指示された一のシーンデータに基づいて前記シーンリコールを実行するものであることを特徴とする。
また、請求項４記載のプログラムにあっては、パラメータを操作するための操作子と、前記操作子に対応して設けられた表示器（３１〜３６）と、前記操作子に対して現在適用されているパラメータを記憶するカレントデータ記憶手段（Ｃ１〜Ｃ６）と、前記カレントデータ記憶手段に記憶されたパラメータの値（Ｃ１〜Ｃ６）をシーンデータとして記憶するシーンデータ記憶手段（１０１，１０２，１０３）と、前記カレントデータ記憶手段に記憶されたパラメータに基づいて信号処理を行う信号処理手段（信号処理回路１０）とを有するミキサにおいて実行されるプログラムであって、前記シーンデータを前記カレントデータ記憶手段（Ｃ１〜Ｃ６）に復元すべきことを指示するシーンリコール指示を検出する検出過程（ＳＰ２）と、前記シーンリコール指示が検出されたことを条件として、前記シーンデータとして記憶された前記操作子に対応するパラメータの値を目標値とし、前記カレントデータ記憶手段に記憶された前記操作子に係るパラメータの値が前記目標値に一致するまで該カレントデータ記憶手段に記憶されたパラメータの値を徐々に更新するシーンリコールを実行するリコール過程（ＳＰ１０，ＳＰ１２）と、前記シーンリコール指示が検出されたことを条件として、前記リコール過程によるシーンリコールが完了するまでの期間、前記操作子に係るパラメータの現在値であって前記リコール過程により前記目標値に向けて徐々に更新される現在値と前記目標値とを前記表示器に表示し、前記シーンリコールが完了するとともに前記目標値の表示を終了する表示制御過程（ＳＰ８）とを備えたことを特徴とする。